(57)【要約】【課題】電子機器の使用時のユーザーの認証に対する利便性を向上することが可能な認証システムを提供する。【解決手段】携帯端末５ａ及び５ｂと関連付けられたユーザーの認証情報を保持する記憶部２７と、携帯端末５ａ及び５ｂの端末位置情報を取得する端末位置情報取得部２９と、画像形成装置３の装置位置情報を取得する装置位置情報取得部３１と、携帯端末５ａ及び５ｂの端末位置情報と画像形成装置３の装置位置情報とに基づいて画像形成装置３に対して認証距離内にある携帯端末５ａ又は５ｂを判別する端末判別部３３と、判別された携帯端末５ａ又は５ｂに関連付けられたユーザーを認証情報に基づいて認証するユーザー認証部３５と、認証されたユーザーの使用権限の範囲内で画像形成装置３を使用可能とする権限付与部３７とを備えた。【選択図】図２
2014232390.tif 000002
【特許請求の範囲】
【請求項１】
携帯端末と関連付けられたユーザーの認証情報を保持する認証情報保持部と、
前記携帯端末の位置情報を取得する端末位置情報取得部と、
電子機器の位置情報を取得する機器位置情報取得部と、
前記携帯端末の位置情報と前記電子機器の位置情報とに基づいて前記電子機器に対して認証距離内にある携帯端末を判別する端末判別部と、
前記判別された携帯端末に関連付けられたユーザーを前記認証情報に基づいて認証するユーザー認証部と、
前記認証されたユーザーの使用権限の範囲内で前記電子機器の使用を可能とする権限付与部と、
を備えたことを特徴とする認証システム。
【請求項２】
請求項１記載の認証システムであって、
前記電子機器は、操作入力を受け付ける操作入力部を備え、
前記端末判別部は、ユーザーの認証を要する操作入力を受け付けた場合に前記携帯端末の判別を行う、
ことを特徴とする認証システム。
【請求項３】
請求項１又は２記載の認証システムであって、
前記電子機器の方向情報を取得する機器方向情報取得部を備え、
前記端末判別部は、前記認証距離内に複数の携帯端末が存在する場合に、前記電子機器の方向情報に基づいて前記電子機器に対する操作入力が可能な操作位置にある携帯端末を判別する、
ことを特徴とする認証システム。
【請求項４】
請求項１〜３の何れか一項に記載の認証システムであって、
前記認証距離内に複数の携帯端末が存在する場合に前記複数の携帯端末へエラーを通知するエラー通知部を備えた、
ことを特徴とする認証システム。
【請求項５】
携帯端末と関連付けられたユーザーの認証情報を保持する認証情報保持機能と、
前記携帯端末の位置情報を取得する端末位置情報取得機能と、
電子機器の位置情報を取得する機器位置情報取得機能と、
前記携帯端末の位置情報と前記電子機器の位置情報とに基づいて前記電子機器に対して認証距離内にある携帯端末を判別する端末判別機能と、
前記判別された携帯端末に関連付けられたユーザーを前記認証情報に基づいて認証するユーザー認証機能と、
前記認証されたユーザーの使用権限の範囲内で前記電子機器の使用を可能とする権限付与機能と、
をコンピューターに実現させることを特徴とする認証プログラム。
【発明の詳細な説明】
【技術分野】
【０００１】
本発明は、画像形成装置等の電子機器の操作に際してユーザーの認証を行う認証システム及びプログラムに関する。
【背景技術】
【０００２】
電子機器であるデジタル複合機等の画像形成装置は、複数のユーザーにより共有されることが多く、各ユーザーが使用権限の範囲内で使用可能となるものがある。このような画像形成装置では、ユーザーを認証することにより、認証したユーザーに使用権限の範囲内で使用可能にするのが一般的である。
【０００３】
ユーザーの認証の際は、画像形成装置でユーザーＩＤやパスワード等の認証情報を入力するが、ユーザーの利便性が低下する問題がある。
【０００４】
これに対し、例えば特許文献１のように、携帯端末を画像形成装置に接続し、携帯端末に記憶されている認証情報によってユーザーの認証を行う認証システムがある。この特許文献１の技術では、ユーザーに認証情報を意識させることがなく、認証に対する利便性を向上できる。
【０００５】
しかし、特許文献１の技術では、画像形成装置に携帯端末を接続する必要があるので、利便性の向上に限界があった。
【先行技術文献】
【特許文献】
【０００６】
【特許文献１】特開２００３−１８６８４８号公報
【発明の概要】
【発明が解決しようとする課題】
【０００７】
本発明が解決しようとする問題点は、電子機器の使用時のユーザーの認証に対する利便性の向上に限界があった点である。
【課題を解決するための手段】
【０００８】
本発明は、携帯端末と関連付けられたユーザーの認証情報を保持する認証情報保持部と、前記携帯端末の位置情報を取得する端末位置情報取得部と、電子機器の位置情報を取得する機器位置情報取得部と、前記携帯端末の位置情報と前記電子機器の位置情報とに基づいて前記電子機器に対して認証距離内にある携帯端末を判別する端末判別部と、前記判別された携帯端末に関連付けられたユーザーを前記認証情報に基づいて認証するユーザー認証部と、前記認証されたユーザーの使用権限の範囲内で前記電子機器の使用を可能とする権限付与部とを備えたことを認証システムの最も主な特徴とする。
【発明の効果】
【０００９】
本発明によれば、ユーザーの認証のための操作入力を行わなくても、画像形成装置に対する認証距離内にある携帯端末のユーザーの使用権限内で画像形成装置を使用可能とすることができる。結果として、画像形成装置の使用時のユーザーの認証に対する利便性を向上することができる。
【図面の簡単な説明】
【００１０】
【図１】認証システムを示す概念図である（実施例１）。
【図２】図１の認証システムを示すブロック図である（実施例１）。
【図３】ユーザーの認証を擁する操作入力の画面例を示し、（ａ）はログイン画面、（ｂ）は各種の設定のための選択画面である（実施例１）。
【図４】認証システムによる認証処理を示すフローチャートである（実施例１）。
【図５】図４の認証処理のシーケンス図である（実施例１）。
【図６】認証システムを示すブロック図である（実施例２）。
【図７】認証システムによる認証処理を示すフローチャートである（実施例２）。
【図８】認証システムを示すブロック図である（実施例３）。
【図９】認証システムによる認証処理を示すフローチャートである（実施例３）。
【発明を実施するための形態】
【００１１】
電子機器の使用時のユーザーの認証に対する利便性を向上するという目的を、携帯端末の位置情報を利用することで実現した。
【００１２】
具体的には、電子機器に対して認証距離内にある携帯端末を判別し、判別された携帯端末に関連付けられた認証情報に基づいてユーザーの認証を行い、認証されたユーザーの使用権限内で電子機器を使用可能とする。
【００１３】
電子機器としては、特に限定されるものではないが、例えば画像形成装置等である。
【００１４】
以下、本発明の実施例について図面を参照して説明する。
【実施例１】
【００１５】
［認証システムの構成］
図１は、本発明の実施例１に係る認証システムを示す概念図、図２は、図１の認証システムを示すブロック図である。
【００１６】
図１及び図２の認証システム１は、画像形成装置３と、携帯端末５ａ及び５ｂとを備えている。認証システム１は、画像形成装置３に対してユーザーの所持する携帯端末５ａ又は５ｂが認証距離内にある時にユーザーの認証を行う。そして、認証されたユーザーの仕様権限の範囲内で画像形成装置３を使用可能とする。認証距離は、特に限定されるものではないが、例えば画像形成装置３を操作するユーザーが位置すると解される距離等である。
【００１７】
携帯端末５ａ及び５ｂは、図２のように、例えば同一構成の多機能携帯電話等の携帯可能な情報処理端末であり、それぞれネットワークインターフェイス７、位置検出部９、制御部１１、記憶部１３等を備えている。
【００１８】
ネットワークインターフェイス７は、ネットワークを介して画像形成装置３を含む外部装置との間でデータの送受信を行うものである。
【００１９】
位置検出部９は、自機の位置（座標）をＧＰＳ等によって検出するものである。
【００２０】
制御部１１は、例えばＣＰＵ（Central Processing Unit）等を備え、プログラムを実行して上記各部の制御や作業を行わせる演算装置である。
【００２１】
記憶部１３は、動作用のプログラム等を記憶するＲＯＭ（Read Only Memory）、作業領域としてのＲＡＭ（Random Access Memory）、補助記憶部等としてのフラッシュメモリーやＨＤＤ（Hard Disk Drive）等である。
【００２２】
本実施例では、制御部１１が記憶部１３内の認証用のアプリーケーションプログラム（認証用アプリ）を実行することで情報送信部１５として機能する。
【００２３】
情報送信部１５は、情報送信機能を実現し、画像形成装置３からの要求に応じ、位置検出部９で検出された自機位置（座標）を端末位置情報として画像形成装置３に送信する。また、情報送信部１５は、端末位置情報と共に自機を識別するための端末識別情報を送信する。端末識別情報は、例えばＩＰアドレス等とすることができる。
【００２４】
画像形成装置３は、例えばデジタル複合機等であり、ネットワークインターフェイス１７、操作パネル部（操作入力部）１９、スキャナー２１、及びプリントエンジン２３、制御部２５、記憶部２７等を備えている。
【００２５】
ネットワークインターフェイス１７は、ネットワークを介して携帯端末５ａ及び５ｂを含む外部端末との間でデータの送受信を行うものである。
【００２６】
操作パネル部１９は、例えばキーボードやタッチパネル等を含み、画像形成装置３に対する操作入力を受け付け或いはその操作状況を表示する。操作入力としては、ユーザーの認証が不要な一般操作入力の他、ユーザーの認証が必要な要認証操作入力がある。
【００２７】
要認証操作入力は、例えば画像形成装置３に対するログインや各種の設定等であり、ユーザーの認証を通じて実行される。図３に要認証操作入力の画面例を示す。図３（ａ）は、画像形成装置３の操作開始時に認証を行うログイン画面であり、図３（ｂ）は、認証が必要な各種設定のための選択画面である。
【００２８】
スキャナー２１は、原稿を読み取って画像データを生成する。
【００２９】
プリントエンジン２３は、スキャナー２１による画像データ又はネットワークインターフェイス１７を介して入力された画像データに基づいて用紙上に画像を形成する。
【００３０】
制御部２５は、例えばＣＰＵ（Central Processing Unit）等を備え、プログラムを実行して上記各部の制御や作業を行わせる演算装置である。
【００３１】
記憶部２７は、動作用のプログラム等を記憶するＲＯＭ（Read Only Memory）、作業領域としてのＲＡＭ（Random Access Memory）、補助記憶部としてのＨＤＤ（Hard Disk Drive）等である。
【００３２】
本実施例の記憶部２７は、認証情報保持部として機能し、携帯端末５ａ及び５ｂと関連付けられたユーザー情報を保持する。具体的には、携帯端末５ａ及び５ｂの端末識別情報に関連付けてユーザー情報を保持する。ユーザー情報は、少なくともユーザーＩＤ等の認証情報及びユーザーに許可される操作入力の範囲を示す使用権限情報を含む。また、記憶部２７内には、画像形成装置３の設置位置を示す装置位置情報を保持する。
【００３３】
ユーザー情報及び装置位置情報は、操作パネル部１９での操作入力等によって事前に登録することができる。なお、ユーザー情報及び装置位置情報をサーバーに保持させておくことも可能である。また、装置位置情報は、ＧＰＳ等を利用して画像形成装置３で検出する構成としてもよい。
【００３４】
また、記憶部２７は、認証プログラムを記憶しており、制御部２５は、その認証プログラムを実行することで、端末位置情報取得部２９、装置位置情報取得部（機器位置情報取得部）３１、端末判別部３３、ユーザー認証部３５、権限付与部３７として機能する。
【００３５】
端末位置情報取得部２９は、端末位置情報取得機能を実現し、携帯端末５ａ及び５ｂの端末位置情報を取得する。本実施例では、操作パネル部１９で要認証操作入力が行われた場合に、端末位置情報取得部２９が携帯端末５ａ及び５ｂに取得要求を行うことで端末位置情報を取得する。
【００３６】
装置位置情報取得部３１は、機器位置情報取得機能を実現し、画像形成装置３の装置位置情報を取得する。本実施例では、操作パネル部１９で要認証操作入力が行われた場合に、装置位置情報取得部３１が記憶部２７内から画像形成装置３の装置位置情報を取得する。
【００３７】
端末判別部３３は、端末判別機能を実現し、携帯端末５ａ及び５ｂの端末位置情報と画像形成装置３の装置位置情報とに基づいて画像形成装置３に対して認証距離内にある携帯端末５ａ又は５ｂを判別する。
【００３８】
本実施例では、装置位置情報取得部３１及び端末位置情報取得部２９の動作に応じ、操作パネル部１９で要認証操作入力が行われた場合に携帯端末５ａ又は５ｂを判別する。
【００３９】
ユーザー認証部３５は、ユーザー認証機能を実現し、端末判別部３３で判別された携帯端末５ａ又は５ｂに関連付けられているユーザーを認証情報に基づいて認証する。具体的には、ユーザー認証部３５は、判別された携帯端末５ａ又は５ｂの端末識別情報に基づいて認証情報を記憶部２７内の検索し、検索された認証情報によってユーザーを認証する。
【００４０】
権限付与部３７は、権限付与機能を実現し、認証されたユーザーの使用権限の範囲内で画像形成装置３を使用可能とする。これは、認証されたユーザーの使用権限情報に基づいて行われる。
［認証処理］
図４は、認証システムによる認証処理を示すフローチャート、図５は、図４の認証処理のシーケンス図である。
【００４１】
本実施例の認証処理は、図３（ａ）又は（ｂ）のように、画像形成装置３で要認証操作入力が行われることで開始される。なお、本認証処理の際には、画像形成装置３で操作入力を意図するユーザーが、事前に自身の所持する携帯端末５ａ又は５ｂで認証用アプリを実行しておく。
【００４２】
図４のフローチャートは、まずステップＳ１において「端末位置情報の問い合わせ」を行う。この処理では、画像形成装置３の端末位置情報取得部２９が、図５のＳＱ１及びＳＱ２のように操作パネル部１９での要認証操作入力に応じて携帯端末５ａ及び５ｂ（ユーザーＡ及びＢ）に端末位置情報を問い合わせる。
【００４３】
問い合わせとしては、画像形成装置３の記憶部２７内の端末識別情報に基づいて、全ての携帯端末５ａ及び５ｂに端末位置情報の取得要求を送信する。ただし、取得要求は、必ずしも全ての携帯端末５ａ及び５ｂに行う必要はない。例えば要認証操作入力に対する実行が許可されているユーザー（携帯端末５ａ又は５ｂ）にのみ行うことも可能である。こうしてステップＳ１が完了すると、ステップＳ２へ移行する。
【００４４】
ステップＳ２では、「端末位置情報の取得」が行われる。ここでは、まず携帯端末５ａ及び５ｂの各情報送信部１５が、図５のＳＱ１．１及びＳＱ２．１のように画像形成装置３からの取得要求に応じて自機の端末位置情報を端末識別情報と共に画像形成装置３に送信する。
【００４５】
これにより、画像形成装置３の端末位置情報取得部２９は、携帯端末５ａ及び５ｂの各端末位置情報及び端末識別情報を受信して取得する。なお、認証用アプリが実行されていない携帯端末からは端末位置情報及び端末識別情報の受信はない。こうしてステップＳ２が完了すると、ステップＳ３へ移行する。
【００４６】
ステップＳ３では、「画像形成装置の装置位置情報の取得」が行われる。この処理では、画像形成装置３の装置位置情報取得部３１が、図５のＳＱ３のように画像形成装置３の装置位置情報を記憶部２７から取得する。これによりステップＳ３が完了してステップＳ４へ移行する。
【００４７】
ステップＳ４では、「認証距離内の携帯端末の判別」が行われる。この処理では、画像形成装置３の端末判別部３３が、取得した携帯端末５ａ及び５ｂの端末位置情報と画像形成装置３の装置位置情報とに基づいて、画像形成装置３に対して認証距離内にある携帯端末５ａ又は５ｂを端末識別情報から判別する。
【００４８】
この判別により、図５のＳＱ４のように携帯端末５ａ又は５ｂのユーザーを画像形成装置３に要認証操作入力を行った使用中ユーザーとして判別することができる。こうしてステップＳ４が完了するとステップＳ５へ移行する。
【００４９】
ステップＳ５では、「ユーザーの認証」が行われる。この処理では、画像形成装置３のユーザー認証部３５が、ステップＳ４で判別された携帯端末５ａ又は５ｂに関連付けられた記憶部２７内の認証情報によってユーザーの認証を行う。こうしてステップＳ５が完了するとステップＳ６へ移行する。
【００５０】
ステップＳ６では、「使用権限の付与」が行われる。この処理では、画像形成装置３の権限付与部３７が、ステップＳ５で認証されたユーザーに対して記憶部２７内の使用権限情報によって画像形成装置３の使用権限を付与する。
【００５１】
これにより、画像形成装置３を使用しているユーザーは、付与された使用権限の範囲内で要認証操作入力を実行することができる。図３（ａ）のようにログイン操作を行った場合は、ログイン操作が完了して、使用権限の範囲内で画像形成装置３の使用が可能となる。図３（ｂ）のようにユーザーの認証が必要な設定の選択操作を行った場合は、使用権限に応じて操作入力が承認されて選択した設定操作が可能となる。
【００５２】
なお、図３（ｂ）の場合は、選択された設定操作がユーザーの使用権限の範囲外であると、選択操作の操作入力が承認されずに設定操作ができないことになる。
【００５３】
こうしてステップＳ６が完了すると本実施例の認証処理が終了する。
［実施例１の効果］
本実施例の認証システム１は、携帯端末５ａ及び５ｂと関連付けられたユーザーの認証情報を保持する記憶部２７と、携帯端末５ａ及び５ｂの端末位置情報を取得する端末位置情報取得部２９と、画像形成装置３の装置位置情報を取得する装置位置情報取得部３１と、携帯端末５ａ及び５ｂの端末位置情報と画像形成装置３の装置位置情報とに基づいて画像形成装置３に対して認証距離内にある携帯端末５ａ又は５ｂを判別する端末判別部３３と、判別された携帯端末５ａ又は５ｂに関連付けられたユーザーを認証情報に基づいて認証するユーザー認証部３５と、認証されたユーザーの使用権限の範囲内で画像形成装置３を使用可能とする権限付与部３７とを備えた。
【００５４】
従って、本実施例では、操作入力を行わなくても、画像形成装置３に対する認証距離内にある携帯端末５ａ又は５ｂのユーザーを認証し、その使用権限内で画像形成装置３を使用可能とすることができる。このため、画像形成装置３の使用時のユーザーの認証に対する利便性を向上することができる。
【００５５】
本実施例の認証システム１では、画像形成装置３が操作入力を受け付ける操作パネル部１９を備え、端末判別部３３がユーザーの認証を要する操作入力を受け付けた場合に携帯端末５ａ又は５ｂの判別を行う。
【００５６】
従って、本実施例では、実際に画像形成装置３を操作しているユーザーの携帯端末５ａ又は５ｂを判別することができ、適切な使用権限で画像形成装置３を使用可能とすることができる。
【００５７】
また、本実施例の認証システム１は、画像形成装置３の内部システムとして実現することができるので、構成を簡素化することができる。
【実施例２】
【００５８】
図６は、認証システムを示すブロック図である。本実施例は、実施例１と基本構成が共通するため、対応する構成部分に同符号又は同符号にＡを付したもの用いて重複した説明を省略する。
【００５９】
本実施例の認証システム１Ａでは、画像形成装置３Ａに対する認証距離内に複数の携帯端末５ａ及び５ｂが存在する場合でも、その中から画像形成装置３Ａを操作しているユーザーの携帯端末５ａ又は５ｂを判別可能とするものである。
【００６０】
携帯端末５ａ又は５ｂの判別は、画像形成装置３Ａの端末判別部３３Ａによって行うことができる。その前提として、本実施例では、画像形成装置３Ａの制御部２５Ａが装置方向情報取得部（機器方向情報取得部）３９としても機能する。
【００６１】
装置方向情報取得部３９は、機器方向情報取得機能を実現し、画像形成装置３Ａの設置方向を示す装置方向情報を取得する。装置方向情報は、記憶部２７内に保持されている。
【００６２】
装置方向情報は、操作パネル部１９での操作入力等によって事前に登録することができる。なお、装置方向情報は、サーバーに保持させておくことも可能であり、また地磁気センサー等を利用して画像形成装置３Ａで検出する構成としてもよい。
【００６３】
端末判別部３３Ａは、認証距離内に複数の携帯端末５ａ及び５ｂが存在する場合に、画像形成装置３Ａの装置方向情報に基づき、画像形成装置３Ａに対する操作入力が可能な操作位置にある携帯端末５ａ又は５ｂを判別する。本実施例では、例えば画像形成装置３Ａの正面に位置する携帯端末５ａ又は５ｂを判別する。
【００６４】
図７は、認証システムによる認証処理を示すフローチャートである。
【００６５】
本実施例の認証処理は、実施例１の図４のフローチャートに対してステップＳ１１を追加すると共にステップＳ４に変えてステップＳ１２を有する。すなわち、認証処理は、図４と同様にステップＳ１〜Ｓ３までの処理を行った後にステップＳ１１へ移行する。
【００６６】
ステップＳ１１では、「画像形成装置の装置方向情報の取得」が行われる。この処理では、画像形成装置３Ａの装置方向情報取得部３９が、画像形成装置３Ａの装置位置情報を記憶部２７から取得する。これによりステップＳ１１が完了するとステップＳ４へ移行する。
【００６７】
ステップＳ１２では、「正面の携帯端末の判別」が行われる。この処理では、画像形成装置３Ａの端末判別部３３Ａが、画像形成装置３Ａの装置方向情報及び装置位置情報並びに携帯端末５ａ及び５ｂの端末位置情報に基づいて、画像形成装置３Ａの正面に位置する携帯端末５ａ又は５ｂを判別する。この判別に基づいて、図４と同様にステップＳ５及びＳ６の処理が行われることになる。
【００６８】
本実施例では、実施例１と同様の作用効果を奏することができるのに加え、画像形成装置３Ａに対する認証距離内に複数の携帯端末５ａ及び５ｂが存在する場合でも、その中から画像形成装置３Ａを操作しているユーザーの携帯端末５ａ又は５ｂを判別することができる。結果として、より確実にユーザーに対して適切な使用権限で画像形成装置３Ａを使用可能とすることができる。
【実施例３】
【００６９】
図８は、認証システムを示すブロック図である。本実施例は、実施例１と基本構成が共通するため、対応する構成部分に同符号又は同符号にＢを付したもの用いて重複した説明を省略する。
【００７０】
本実施例の認証システム１Ｂでは、画像形成装置３に対する認証距離内に複数の携帯端末５ａ及び５ｂが存在する場合に複数の携帯端末５ａ及び５ｂにエラーを通知するものである。このため、本実施例では、画像形成装置３Ｂの制御部２５Ｂがエラー通知部４１としても機能する。エラー通知部４１は、エラー通知機能を実現し、認証距離内に位置する複数の携帯端末５ａ及び５ｂにエラー通知を送信する。
【００７１】
図９は、認証システムによる認証処理を示すフローチャートである。
【００７２】
本実施例の認証処理では、実施例１の図４のフローチャートに対してステップＳ２１とＳ２２を追加したものである。
【００７３】
この場合、認証処理では、図４と同様にステップＳ１〜Ｓ３までの処理を行ってステップＳ２１へ移行する。
【００７４】
ステップＳ２１は、「認証距離内に複数の携帯端末ない？」が行われる。この処理では、画像形成装置３Ｂの端末判別部３３Ｂが、取得した携帯端末５ａ及び５ｂの端末位置情報と画像形成装置３Ｂの装置位置情報とに基づき、画像形成装置３Ｂに対する認証距離内に複数の携帯端末５ａ及び５ｂが存在するか否かを判断する。
【００７５】
認証距離内に複数の携帯端末５ａ及び５ｂが存在しない場合はステップＳ４へ移行して（ＹＥＳ）、図４と同様にステップＳ４〜Ｓ６の処理を行う。
【００７６】
一方、認証距離内に複数の携帯端末５ａ及び５ｂが存在する場合はステップＳ２２へ移行する（ＮＯ）。
【００７７】
ステップＳ２２では、「エラー通知」が行われる。この処理では、画像形成装置３Ｂのエラー通知部４１が、認証距離内に位置する複数の携帯端末５ａ及び５ｂにエラー通知を送信する。エラー通知には、画像形成装置３Ｂの操作していないユーザーに認証距離外へ移動するよう促すメッセージ等を含める。
【００７８】
こうしてステップＳ２２が完了するとステップＳ２１へ戻って処理を繰り返す。なお、ステップＳ２１へ戻る際は、例えば設定時間が経過した後等に行うようにする。これにより、画像形成装置３Ｂの操作をしていないユーザーが認証距離外へ移動する時間を確保することができる。
【００７９】
本実施例では、実施例１と同様の作用効果を奏することができるのに加え、画像形成装置３Ｂに対する認証距離内に複数の携帯端末５ａ及び５ｂが存在する場合でも、そのエラー通知を携帯端末５ａ及び５ｂにすることができる。
【００８０】
結果として、画像形成装置３Ｂの操作を意図しないユーザーを認証距離外に移動させ、実際に画像形成装置３Ｂを操作しているユーザーの携帯端末５ａ又は５ｂを確実に判別することができる。
【符号の説明】
【００８１】
１  認証システム
３  画像形成装置（電子機器）
５ａ，５ｂ  携帯端末
２９  端末位置情報取得部
３１  装置位置情報取得部（機器位置情報取得部）
３３  端末判別部
３５  ユーザー認証部
３７  権限付与部
３９  装置方向情報取得部（機器方向情報取得部）
４１  エラー通知部
【図２】
2014232390.tif 000003
【図３】
2014232390.tif 000004
【図４】
2014232390.tif 000005
【図５】
2014232390.tif 000006
【図６】
2014232390.tif 000007
【図７】
2014232390.tif 000008
【図８】
2014232390.tif 000009
【図９】
2014232390.tif 000010
【図１】
2014232390.tif 000011